【手続補正書】
【提出日】平成20年1月15日(2008.1.15)
【手続補正１】
【補正対象書類名】明細書
【補正対象項目名】特許請求の範囲
【補正方法】変更
【補正の内容】
【特許請求の範囲】
【請求項１】  ユーザの第１の操作に応じて、所定の配列順序で並んだ複数の文字記号が表示されるとともに、該複数の文字記号のうちの少なくとも１つが他とは異なる所定の表示方法で表示されるよう表示装置の表示を制御する表示制御手段と、
ユーザによる第２の操作があったときに前記表示装置に表示されていた画面における前記所定の表示方法で表示された少なくとも１つの文字記号における所定の１つの文字記号を、入力すべき文字記号として確定する確定手段と
を有することを特徴とするデータ入力装置。
【請求項２】  ユーザによって操作されて回転し、該回転が前記第１の操作となる文字入力ダイヤルを更に有することを特徴とする請求項１記載のデータ入力装置。
【請求項３】  前記文字入力ダイヤルは押下げ可能な構成を備え、ユーザによる該文字入力ダイヤルの押下げが前記第２の操作となることを特徴とする請求項２記載のデータ入力装置。
【請求項４】  リング状の回転体から構成され、ユーザによって操作されて回転する文字選択ダイヤルと、
前記文字選択ダイヤルとは別体であり、前記回転体のリング中心部に設けられた文字確定キーとを更に有し、
前記第１の操作はユーザによる前記文字選択ダイヤルの回転操作であり、前記第２の操作は前記文字確定キーの押下操作であることを特徴とする請求項１記載のデータ入力装置。
【請求項５】  ユーザによって操作されて回転する第１の選択手段と、
ユーザによって押圧されてオンする第２の選択手段とを更に有し、
前記第１の操作はユーザによる前記第１及び第２の選択手段の操作であり、前記第１の選択手段の回転に応じて前記少なくとも１つの文字記号が選択され、前記第２の選択手段のオン毎に、該選択された少なくとも１つの文字記号に属する複数の文字記号のうちの１つが循環的に選択されることを特徴とする請求項１記載のデータ入力装置。
【請求項６】  前記第２の操作は、前記第２の選択手段のオン後に行われた前記第１の選択手段の回転であることを特徴とする請求項５記載のデータ入力装置。
【請求項７】  前記第１の選択手段と前記第２の選択手段とが、同一の操作部分から構成されることを特徴とする請求項５記載のデータ入力装置。
【請求項８】  時計回り方向及び反時計回り方向に回転可能であり、ユーザによって操作されて回転する第１の選択手段と、
ユーザによって押圧されてオンする第２の選択手段とを更に有し、
前記第１の操作はユーザによる前記第１の選択手段の回転操作であり、前記第１の選択手段の第１の回転方向への回転に応じて前記少なくとも１つの文字記号が循環的に選択され、前記第１の選択手段の第２の回転方向への回転に応じて、該選択された少なくとも１つの文字記号に属する複数の文字記号のうちの１つが循環的に選択されることを特徴とする請求項１記載のデータ入力装置。
【請求項９】  前記第２の操作は、前記第２の選択手段のオンであることを特徴とする請求項８記載のデータ入力装置。
【請求項１０】  前記第１の選択手段と前記第２の選択手段とが、同一の操作部分から構成されることを特徴とする請求項８記載のデータ入力装置。
【請求項１１】  前記所定の表示方法は、文字記号の大きさ、フォント、色のうち少なくとも１つを変えて表示する方法であることを特徴とする請求項１乃至請求項１０のいずれかに記載のデータ入力装置。
【請求項１２】  前記所定の表示方法は、前記少なくとも１つの文字記号に属する複数の文字記号のうちの１つが該少なくとも１つの文字記号に添えて表示される方法であることを特徴とする請求項１乃至請求項１１のいずれかに記載のデータ入力装置。
【請求項１３】  前記文字記号は、かな文字、ローマ字、数字のうちの少なくとも１つであり、前記所定の配列順序は、前記文字記号がかな文字ならば五十音順、前記文字記号がローマ字ならばアルファベット順、前記文字記号が数字ならば昇順または降順であることを特徴とする請求項１乃至請求項１２のいずれかに記載のデータ入力装置。
【請求項１４】  少なくとも、前記第１及び第２の操作を行うための操作部及び前記表示装置が前記データ入力装置の操作面に配置され、前記操作部が前記データ入力装置の操作面中央部に配置されることを特徴とする請求項１乃至請求項１３のいずれかに記載のデータ入力装置。
【請求項１５】  ユーザの第１の操作に応じて、複数のグループのうち各グループにおける複数の文字記号が所定の配列順序で並んでそれぞれ表示されるとともに、該複数の文字記号のうちの各１つが他とは異なる所定の表示方法で表示されるよう表示装置に表示させる表示制御手段と、
ユーザによる第２の操作があったときに前記表示装置に表示されていた画面における前記所定の表示方法で表示された文字記号を、入力すべき文字記号として確定する確定手段と
を有することを特徴とするデータ入力装置。
【請求項１６】  前記複数の文字記号は少なくともアルファベットであり、前記複数のグループは大文字及び小文字のグループであることを特徴とする請求項１５記載のデータ入力装置。
【請求項１７】  ユーザの第１の操作に応じて、所定の配列順序で並んだ複数の文字記号が表示されるとともに、該複数の文字記号のうちの各１つが他とは異なる所定の表示方法で表示されるよう表示装置に表示させる表示制御手段と、
ユーザによる第２の操作があったときに前記表示装置に表示されていた画面における前記所定の表示方法で表示された文字記号を、入力すべき文字記号として確定する確定手段と
を有することを特徴とするデータ入力装置。
【請求項１８】  ユーザの第１の操作に応じて、上位階層を構成する複数の上位文字記号が所定の配列順序で並んで表示されるとともに、該複数の上位文字記号のうちの各少なくとも１つが他とは異なる所定の表示方法でそれぞれ表示され、さらに、該表示された少なくとも１つの上位文字記号に属する複数の下位文字記号のうちの各１つが表示されるよう表示装置に表示させる表示制御手段と、
ユーザによる第２の操作があったときに前記表示装置に表示されていた下位文字記号を、入力すべき文字記号として確定する確定手段と
を有することを特徴とするデータ入力装置。
【請求項１９】  表示装置を備えたデータ入力装置に適用されるデータ入力方法において、
ユーザの第１の操作に応じて、所定の配列順序で並んだ複数の文字記号が表示されるとともに、該複数の文字記号のうちの少なくとも１つが他とは異なる所定の表示方法で表示されるよう前記表示装置の表示を制御する表示制御ステップと、
ユーザによる第２の操作があったときに前記表示装置に表示されていた画面における前記所定の表示方法で表示された少なくとも１つの文字記号における所定の１つの文字記号を、入力すべき文字記号として確定する確定ステップと
を有することを特徴とするデータ入力方法。
【請求項２０】  表示装置を備えたデータ入力装置に適用されるデータ入力方法において、
ユーザの第１の操作に応じて、複数のグループのうち各グループにおける複数の文字記号が所定の配列順序で並んでそれぞれ表示されるとともに、該複数の文字記号のうちの各１つが他とは異なる所定の表示方法で表示されるよう前記表示装置に表示させる表示制御ステップと、
ユーザによる第２の操作があったときに前記表示装置に表示されていた画面における前記所定の表示方法で表示された文字記号を、入力すべき文字記号として確定する確定ステップと
を有することを特徴とするデータ入力方法。
【請求項２１】  表示装置を備えたデータ入力装置に適用されるデータ入力方法において、
ユーザの第１の操作に応じて、所定の配列順序で並んだ複数の文字記号が表示されるとともに、該複数の文字記号のうちの各１つが他とは異なる所定の表示方法で表示されるよう前記表示装置に表示させる表示制御ステップと、
ユーザによる第２の操作があったときに前記表示装置に表示されていた画面における前記所定の表示方法で表示された文字記号を、入力すべき文字記号として確定する確定ステップと
を有することを特徴とするデータ入力方法。
【請求項２２】  表示装置を備えたデータ入力装置に適用されるデータ入力方法において、
ユーザの第１の操作に応じて、上位階層を構成する複数の上位文字記号が所定の配列順序で並んで表示されるとともに、該複数の上位文字記号のうちの各少なくとも１つが他とは異なる所定の表示方法でそれぞれ表示され、さらに、該表示された少なくとも１つの上位文字記号に属する複数の下位文字記号のうちの各１つが表示されるよう前記表示装置に表示させる表示制御ステップと、
ユーザによる第２の操作があったときに前記表示装置に表示されていた下位文字記号を、入力すべき文字記号として確定する確定ステップと
を有することを特徴とするデータ入力方法。
【請求項２３】  表示装置を備えたデータ入力装置に適用されるデータ入力方法をプログラムとして記憶した、コンピュータにより読み出し可能な記憶媒体において、
前記データ入力方法が、
ユーザの第１の操作に応じて、所定の配列順序で並んだ複数の文字記号が表示されるとともに、該複数の文字記号のうちの少なくとも１つが他とは異なる所定の表示方法で表示されるよう前記表示装置の表示を制御する表示制御ステップと、
ユーザによる第２の操作があったときに前記表示装置に表示されていた画面における前記所定の表示方法で表示された少なくとも１つの文字記号における所定の１つの文字記号を、入力すべき文字記号として確定する確定ステップと
を有することを特徴とする記憶媒体。
【請求項２４】  表示装置を備えたデータ入力装置に適用されるデータ入力方法をプログラムとして記憶した、コンピュータにより読み出し可能な記憶媒体において、
前記データ入力方法が、
ユーザの第１の操作に応じて、複数のグループのうち各グループにおける複数の文字記号が所定の配列順序で並んでそれぞれ表示されるとともに、該複数の文字記号のうちの各１つが他とは異なる所定の表示方法で表示されるよう前記表示装置に表示させる表示制御ステップと、
ユーザによる第２の操作があったときに前記表示装置に表示されていた画面における前記所定の表示方法で表示された文字記号を、入力すべき文字記号として確定する確定ステップと
を有することを特徴とする記憶媒体。
【請求項２５】  表示装置を備えたデータ入力装置に適用されるデータ入力方法をプログラムとして記憶した、コンピュータにより読み出し可能な記憶媒体において、
前記データ入力方法が、
ユーザの第１の操作に応じて、所定の配列順序で並んだ複数の文字記号が表示されるとともに、該複数の文字記号のうちの各１つが他とは異なる所定の表示方法で表示されるよう前記表示装置に表示させる表示制御ステップと、
ユーザによる第２の操作があったときに前記表示装置に表示されていた画面における前記所定の表示方法で表示された文字記号を、入力すべき文字記号として確定する確定ステップと
を有することを特徴とする記憶媒体。
【請求項２６】  表示装置を備えたデータ入力装置に適用されるデータ入力方法をプログラムとして記憶した、コンピュータにより読み出し可能な記憶媒体において、
前記データ入力方法が、
ユーザの第１の操作に応じて、上位階層を構成する複数の上位文字記号が所定の配列順序で並んで表示されるとともに、該複数の上位文字記号のうちの各少なくとも１つが他とは異なる所定の表示方法でそれぞれ表示され、さらに、該表示された少なくとも１つの上位文字記号に属する複数の下位文字記号のうちの各１つが表示されるよう前記表示装置に表示させる表示制御ステップと、
ユーザによる第２の操作があったときに前記表示装置に表示されていた下位文字記号を、入力すべき文字記号として確定する確定ステップと
を有することを特徴とする記憶媒体。
【請求項２７】  表示装置を備えたデータ入力装置に適用されるデータ入力方法を実行させるプログラムにおいて、
前記データ入力方法が、
ユーザの第１の操作に応じて、所定の配列順序で並んだ複数の文字記号が表示されるとともに、該複数の文字記号のうちの少なくとも１つが他とは異なる所定の表示方法で表示されるよう前記表示装置の表示を制御する表示制御ステップと、
ユーザによる第２の操作があったときに前記表示装置に表示されていた画面における前記所定の表示方法で表示された少なくとも１つの文字記号における所定の１つの文字記号を、入力すべき文字記号として確定する確定ステップと
を有することを特徴とするプログラム。
【請求項２８】  表示装置を備えたデータ入力装置に適用されるデータ入力方法を実行可能なプログラムにおいて、
前記データ入力方法が、
ユーザの第１の操作に応じて、複数のグループのうち各グループにおける複数の文字記号が所定の配列順序で並んでそれぞれ表示されるとともに、該複数の文字記号のうちの各１つが他とは異なる所定の表示方法で表示されるよう前記表示装置に表示させる表示制御ステップと、
ユーザによる第２の操作があったときに前記表示装置に表示されていた画面における前記所定の表示方法で表示された文字記号を、入力すべき文字記号として確定する確定ステップと
を有することを特徴とするプログラム。
【請求項２９】  表示装置を備えたデータ入力装置に適用されるデータ入力方法を実行可能なプログラムにおいて、
前記データ入力方法が、
ユーザの第１の操作に応じて、所定の配列順序で並んだ複数の文字記号が表示されるとともに、該複数の文字記号のうちの各１つが他とは異なる所定の表示方法で表示されるよう前記表示装置に表示させる表示制御ステップと、
ユーザによる第２の操作があったときに前記表示装置に表示されていた画面における前記所定の表示方法で表示された文字記号を、入力すべき文字記号として確定する確定ステップと
を有することを特徴とするプログラム。
【請求項３０】  表示装置を備えたデータ入力装置に適用されるデータ入力方法を実行可能なプログラムにおいて、
前記データ入力方法が、
ユーザの第１の操作に応じて、上位階層を構成する複数の上位文字記号が所定の配列順序で並んで表示されるとともに、該複数の上位文字記号のうちの各少なくとも１つが他とは異なる所定の表示方法でそれぞれ表示され、さらに、該表示された少なくとも１つの上位文字記号に属する複数の下位文字記号のうちの各１つが表示されるよう前記表示装置に表示させる表示制御ステップと、
ユーザによる第２の操作があったときに前記表示装置に表示されていた下位文字記号を、入力すべき文字記号として確定する確定ステップと
を有することを特徴とするプログラム。
【手続補正２】
【補正対象書類名】明細書
【補正対象項目名】００１７
【補正方法】変更
【補正の内容】
【００１７】
また、請求項１９記載の発明によれば、表示装置を備えたデータ入力装置に適用されるデータ入力方法において、ユーザの第１の操作に応じて、所定の配列順序で並んだ複数の文字記号が表示されるとともに、該複数の文字記号のうちの少なくとも１つが他とは異なる所定の表示方法で表示されるよう前記表示装置の表示を制御する表示制御ステップと、ユーザによる第２の操作があったときに前記表示装置に表示されていた画面における前記所定の表示方法で表示された少なくとも１つの文字記号における所定の１つの文字記号を、入力すべき文字記号として確定する確定ステップとを有することを特徴とするデータ入力方法を提供する。
【手続補正３】
【補正対象書類名】明細書
【補正対象項目名】００１８
【補正方法】変更
【補正の内容】
【００１８】
請求項２０記載の発明によれば、表示装置を備えたデータ入力装置に適用されるデータ入力方法において、ユーザの第１の操作に応じて、複数のグループのうち各グループにおける複数の文字記号が所定の配列順序で並んでそれぞれ表示されるとともに、該複数の文字記号のうちの各１つが他とは異なる所定の表示方法で表示されるよう前記表示装置に表示させる表示制御ステップと、ユーザによる第２の操作があったときに前記表示装置に表示されていた画面における前記所定の表示方法で表示された文字記号を、入力すべき文字記号として確定する確定ステップとを有することを特徴とするデータ入力方法を提供する。
【手続補正４】
【補正対象書類名】明細書
【補正対象項目名】００１９
【補正方法】変更
【補正の内容】
【００１９】
請求項２１記載の発明によれば、表示装置を備えたデータ入力装置に適用されるデータ入力方法において、ユーザの第１の操作に応じて、所定の配列順序で並んだ複数の文字記号が表示されるとともに、該複数の文字記号のうちの各１つが他とは異なる所定の表示方法で表示されるよう前記表示装置に表示させる表示制御ステップと、ユーザによる第２の操作があったときに前記表示装置に表示されていた画面における前記所定の表示方法で表示された文字記号を、入力すべき文字記号として確定する確定ステップとを有することを特徴とするデータ入力方法を提供する。
【手続補正５】
【補正対象書類名】明細書
【補正対象項目名】００２０
【補正方法】変更
【補正の内容】
【００２０】
請求項２２記載の発明によれば、表示装置を備えたデータ入力装置に適用されるデータ入力方法において、ユーザの第１の操作に応じて、上位階層を構成する複数の上位文字記号が所定の配列順序で並んで表示されるとともに、該複数の上位文字記号のうちの各少なくとも１つが他とは異なる所定の表示方法でそれぞれ表示され、さらに、該表示された少なくとも１つの上位文字記号に属する複数の下位文字記号のうちの各１つが表示されるよう前記表示装置に表示させる表示制御ステップと、ユーザによる第２の操作があったときに前記表示装置に表示されていた下位文字記号を、入力すべき文字記号として確定する確定ステップとを有することを特徴とするデータ入力方法を提供する。
【手続補正６】
【補正対象書類名】明細書
【補正対象項目名】００２１
【補正方法】変更
【補正の内容】
【００２１】
さらに、請求項２３記載の発明によれば、表示装置を備えたデータ入力装置に適用されるデータ入力方法をプログラムとして記憶した、コンピュータにより読み出し可能な記憶媒体において、前記データ入力方法が、ユーザの第１の操作に応じて、所定の配列順序で並んだ複数の文字記号が表示されるとともに、該複数の文字記号のうちの少なくとも１つが他とは異なる所定の表示方法で表示されるよう前記表示装置の表示を制御する表示制御ステップと、ユーザによる第２の操作があったときに前記表示装置に表示されていた画面における前記所定の表示方法で表示された少なくとも１つの文字記号における所定の１つの文字記号を、入力すべき文字記号として確定する確定ステップとを有することを特徴とする記憶媒体を提供する。
【手続補正７】
【補正対象書類名】明細書
【補正対象項目名】００２２
【補正方法】変更
【補正の内容】
【００２２】
請求項２４記載の発明によれば、表示装置を備えたデータ入力装置に適用されるデータ入力方法をプログラムとして記憶した、コンピュータにより読み出し可能な記憶媒体において、前記データ入力方法が、ユーザの第１の操作に応じて、複数のグループのうち各グループにおける複数の文字記号が所定の配列順序で並んでそれぞれ表示されるとともに、該複数の文字記号のうちの各１つが他とは異なる所定の表示方法で表示されるよう前記表示装置に表示させる表示制御ステップと、ユーザによる第２の操作があったときに前記表示装置に表示されていた画面における前記所定の表示方法で表示された文字記号を、入力すべき文字記号として確定する確定ステップとを有することを特徴とする記憶媒体を提供する。
【手続補正８】
【補正対象書類名】明細書
【補正対象項目名】００２３
【補正方法】変更
【補正の内容】
【００２３】
請求項２５記載の発明によれば、表示装置を備えたデータ入力装置に適用されるデータ入力方法をプログラムとして記憶した、コンピュータにより読み出し可能な記憶媒体において、前記データ入力方法が、ユーザの第１の操作に応じて、所定の配列順序で並んだ複数の文字記号が表示されるとともに、該複数の文字記号のうちの各１つが他とは異なる所定の表示方法で表示されるよう前記表示装置に表示させる表示制御ステップと、ユーザによる第２の操作があったときに前記表示装置に表示されていた画面における前記所定の表示方法で表示された文字記号を、入力すべき文字記号として確定する確定ステップとを有することを特徴とする記憶媒体を提供する。
【手続補正９】
【補正対象書類名】明細書
【補正対象項目名】００２４
【補正方法】変更
【補正の内容】
【００２４】
請求項２６記載の発明によれば、表示装置を備えたデータ入力装置に適用されるデータ入力方法をプログラムとして記憶した、コンピュータにより読み出し可能な記憶媒体において、前記データ入力方法が、ユーザの第１の操作に応じて、上位階層を構成する複数の上位文字記号が所定の配列順序で並んで表示されるとともに、該複数の上位文字記号のうちの各少なくとも１つが他とは異なる所定の表示方法でそれぞれ表示され、さらに、該表示された少なくとも１つの上位文字記号に属する複数の下位文字記号のうちの各１つが表示されるよう前記表示装置に表示させる表示制御ステップと、ユーザによる第２の操作があったときに前記表示装置に表示されていた下位文字記号を、入力すべき文字記号として確定する確定ステップとを有することを特徴とする記憶媒体を提供する。
【手続補正１０】
【補正対象書類名】明細書
【補正対象項目名】００２５
【補正方法】変更
【補正の内容】
【００２５】
また更に、請求項２７記載の発明によれば、表示装置を備えたデータ入力装置に適用されるデータ入力方法を実行させるプログラムにおいて、前記データ入力方法が、ユーザの第１の操作に応じて、所定の配列順序で並んだ複数の文字記号が表示されるとともに、該複数の文字記号のうちの少なくとも１つが他とは異なる所定の表示方法で表示されるよう前記表示装置の表示を制御する表示制御ステップと、ユーザによる第２の操作があったときに前記表示装置に表示されていた画面における前記所定の表示方法で表示された少なくとも１つの文字記号における所定の１つの文字記号を、入力すべき文字記号として確定する確定ステップとを有することを特徴とするプログラムを提供する。
【手続補正１１】
【補正対象書類名】明細書
【補正対象項目名】００２６
【補正方法】変更
【補正の内容】
【００２６】
請求項２８の発明によれば、表示装置を備えたデータ入力装置に適用されるデータ入力方法を実行可能なプログラムにおいて、前記データ入力方法が、ユーザの第１の操作に応じて、複数のグループのうち各グループにおける複数の文字記号が所定の配列順序で並んでそれぞれ表示されるとともに、該複数の文字記号のうちの各１つが他とは異なる所定の表示方法で表示されるよう前記表示装置に表示させる表示制御ステップと、ユーザによる第２の操作があったときに前記表示装置に表示されていた画面における前記所定の表示方法で表示された文字記号を、入力すべき文字記号として確定する確定ステップとを有することを特徴とするプログラムを提供する。
【手続補正１２】
【補正対象書類名】明細書
【補正対象項目名】００２７
【補正方法】変更
【補正の内容】
【００２７】
請求項２９の発明によれば、表示装置を備えたデータ入力装置に適用されるデータ入力方法を実行可能なプログラムにおいて、前記データ入力方法が、ユーザの第１の操作に応じて、所定の配列順序で並んだ複数の文字記号が表示されるとともに、該複数の文字記号のうちの各１つが他とは異なる所定の表示方法で表示されるよう前記表示装置に表示させる表示制御ステップと、ユーザによる第２の操作があったときに前記表示装置に表示されていた画面における前記所定の表示方法で表示された文字記号を、入力すべき文字記号として確定する確定ステップとを有することを特徴とするプログラムを提供する。
【手続補正１３】
【補正対象書類名】明細書
【補正対象項目名】００２８
【補正方法】変更
【補正の内容】
【００２８】
請求項３０の発明によれば、表示装置を備えたデータ入力装置に適用されるデータ入力方法を実行可能なプログラムにおいて、前記データ入力方法が、ユーザの第１の操作に応じて、上位階層を構成する複数の上位文字記号が所定の配列順序で並んで表示されるとともに、該複数の上位文字記号のうちの各少なくとも１つが他とは異なる所定の表示方法でそれぞれ表示され、さらに、該表示された少なくとも１つの上位文字記号に属する複数の下位文字記号のうちの各１つが表示されるよう前記表示装置に表示させる表示制御ステップと、ユーザによる第２の操作があったときに前記表示装置に表示されていた下位文字記号を、入力すべき文字記号として確定する確定ステップとを有することを特徴とするプログラムを提供する。
【手続補正１４】
【補正対象書類名】明細書
【補正対象項目名】０３６９
【補正方法】変更
【補正の内容】
【０３６９】
【発明の効果】
以上詳述したように請求項１、請求項１９、請求項２３または請求項２７記載の発明によれば、ユーザの第１の操作に応じて、所定の配列順序で並んだ複数の文字記号が表示されるとともに、該複数の文字記号のうちの少なくとも１つが他とは異なる所定の表示方法で表示されるよう、表示制御手段が、表示装置の表示を制御する。そして、ユーザによる第２の操作があったときに、確定手段が、前記表示装置に表示されていた画面における前記所定の表示方法で表示された少なくとも１つ文字記号における所定の１つの文字記号を、入力すべき文字記号として確定する。
【手続補正１５】
【補正対象書類名】明細書
【補正対象項目名】０３７１
【補正方法】変更
【補正の内容】
【０３７１】
また、請求項５記載の発明によれば、データ入力装置が、ユーザによって操作されて回転する第１の選択手段と、ユーザによって押圧されてオンする第２の選択手段とを更に有し、前記第１の操作はユーザによる前記第１及び第２の選択手段の操作であり、前記第１の選択手段の回転に応じて前記少なくとも１つの文字記号が選択され、前記第２の選択手段のオン毎に、該選択された少なくとも１つの文字記号に属する複数の文字記号のうちの１つが循環的に選択される。
【手続補正１６】
【補正対象書類名】明細書
【補正対象項目名】０３７３
【補正方法】変更
【補正の内容】
【０３７３】
また、請求項８記載の発明によれば、データ入力装置が、時計回り方向及び反時計回り方向に回転可能であり、ユーザによって操作されて回転する第１の選択手段と、ユーザによって押圧されてオンする第２の選択手段とを更に有し、前記第１の操作はユーザによる前記第１の選択手段の回転操作であり、前記第１の選択手段の第１の回転方向への回転に応じて前記少なくとも１つの文字記号が循環的に選択され、前記第１の選択手段の第２の回転方向への回転に応じて、該選択された少なくとも１つの文字記号に属する複数の文字記号のうちの１つが循環的に選択されることを特徴とする。